(57)【要約】【課題】携帯機器本体からの取外しが自在となり、携帯機器本体から取り外した状態でも浸水による悪影響が及ぼされにくくなる入力インタフェース及び入力インタフェースコネクタを提供する。【解決手段】入力インタフェースコネクタ３は、入力インタフェース端子４の導電パターンに接触するための接点１２及びノート型パーソナルコンピュータの本体のメイン基板に接続されたメイン基板コネクタに接触するための防水性の接点１３ａ，１３ｂを有するコネクタ端子９と、入力インタフェース端子差込口１４及びコネクタ端子差込口１５を有する防水性のコネクタハウジング１０と、入力インタフェース端子４が入力インタフェース端子差込口１４に差し込まれたときの入力インタフェース端子差込口１４から導電パターンへの浸水を防止するシーリング部材と１１と、を有する。【選択図】図６
2012220995.tif 000002
【特許請求の範囲】
【請求項１】
防水性の入力部と、
携帯機器の本体のメイン基板に接続されたメイン基板コネクタに取り外し自在に接続するための入力インタフェースコネクタと、
前記入力部に接続された所定の導電パターンが設けられた、前記入力インタフェースコネクタに差し込むための入力インタフェース端子と、
を備え、
前記入力インタフェースコネクタは、
前記所定の導電パターンに接触するための第１の接点及び前記メイン基板コネクタに接触するための第２の接点を有する複数のコネクタ端子と、
前記入力インタフェース端子が差し込まれる第１の差込口及び前記複数のコネクタ端子がそれぞれ差し込まれる第２の差込口を有し、前記複数のコネクタ端子を密閉して固定するコネクタハウジングと、
前記第１の差込口に配置され、前記入力インタフェース端子が前記第１の差込口に差し込まれたときの前記第１の差込口から前記導電パターンへの浸水を防止するシーリング部材と、
を有することを特徴とする入力インタフェース。
【請求項２】
前記第１の接点が挟み込み接点形状を有する請求項１に記載の入力インタフェース。
【請求項３】
前記入力インタフェース端子は、一方の面に前記導電パターンが形成された可撓性フィルム及び前記可撓性フィルムの前記導電パターンが形成された側に設けられた防水性のプレートを有する請求項１又は２に記載の入力インタフェース。
【請求項４】
前記プレートは、前記入力インタフェースコネクタに対する抜け防止用の突起を有する請求項３に記載の入力インタフェース。
【請求項５】
前記第１の差込口は、前記シーリング部材が嵌め込まれる角穴を有する請求項１から４のうちのいずれか１項に記載の入力インタフェース。
【請求項６】
前記コネクタハウジングの前記第１の差込口側に設けられるロック部材を更に有する請求項１から５のうちのいずれか１項に記載の入力インタフェース。
【請求項７】
前記コネクタハウジングは、前記ロック部材を嵌め込むために前記第１の差込口側に形成された段差を有する請求項６に記載の入力インタフェース。
【請求項８】
携帯機器の本体のメイン基板に接続されたメイン基板コネクタに取り外し自在に接続するために入力インタフェースに設けられる入力インタフェースコネクタであって、前記入力インタフェースコネクタは、
前記入力インタフェースが有する入力インタフェース端子に設けられた所定の導電パターンに接触するための第１の接点及び前記メイン基板コネクタに接触するための第２の接点を有する複数のコネクタ端子と、
前記入力インタフェース端子が差し込まれる第１の差込口及び前記複数のコネクタ端子が差し込まれる第２の差込口を有し、前記複数のコネクタ端子を密閉して固定するコネクタハウジングと、
前記第１の差込口に配置され、前記入力インタフェース端子が前記第１の差込口に差し込まれたときの前記第１の差込口から前記導電パターンへの浸水を防止するシーリング部材と、
を有することを特徴とする入力インタフェースコネクタ。
【発明の詳細な説明】
【技術分野】
【０００１】
本発明は、ノート型パーソナルコンピュータ、ＰＤＡ(Personal Digital Assistants)等の携帯機器のメイン基板に設けられたメイン基板コネクタに取り外し自在に接続するキーボード、テンキー等の入力インタフェース及び入力インタフェースコネクタに関する。
【背景技術】
【０００２】
携帯機器の本体に設置された従来の入力インタフェースは、複数のキーと、複数のキーを支持する板金と、複数のキーと板金との間に配置されるメンブレンシートやフレキシブルプリント基板（ＦＰＣ）から構成されたキーボード基板と、キーボード基板に接続された所定の導電パターンが設けられた入力インタフェース端子と、を備える。このような入力インタフェース端子は、一般的に、ポリエチレンテレフタレート（ＰＥＴ）フィルムやＦＤＣのような可撓性フィルムによって構成される。入力インタフェース端子に設けられた導電パターンは、携帯機器の本体のメイン基板に接続されている（例えば、特許文献１）。
【先行技術文献】
【特許文献】
【０００３】
【特許文献１】特開２００１−２５６８５６号公報
【発明の概要】
【発明が解決しようとする課題】
【０００４】
しかしながら、携帯機器の本体に設置された従来の入力インタフェースは、携帯機器のエンドユーザによって容易に取り外すことができない。また、携帯機器のエンドユーザが従来の入力インタフェースを携帯機器の本体から取り外すことができたとしても、入力インタフェース端子に設けられた導電パターンが外部に露出される。導電パターンは水にぬれると性能が劣化するので、入力インタフェース取外し時に導電パターンが露出すると、入力インタフェースは、浸水による悪影響が及ぼされやすくなる。
【０００５】
本発明の目的は、携帯機器の本体からの取外しが自在となり、携帯機器の本体から取り外した状態でも浸水による悪影響が及ぼされにくくなる入力インタフェース及び入力インタフェースコネクタを提供することである。
【課題を解決するための手段】
【０００６】
本発明による入力インタフェースは、防水性の入力部と、携帯機器の本体のメイン基板に接続されたメイン基板コネクタに取り外し自在に接続するための入力インタフェースコネクタと、入力部に接続された所定の導電パターンが設けられた、入力インタフェースコネクタに差し込むための入力インタフェース端子と、を備え、入力インタフェースコネクタは、所定の導電パターンに接触するための第１の接点及びメイン基板コネクタに接触するための第２の接点を有する複数のコネクタ端子と、入力インタフェース端子が差し込まれる第１の差込口及び複数のコネクタ端子がそれぞれ差し込まれる第２の差込口を有し、複数のコネクタ端子を密閉して固定するコネクタハウジングと、第１の差込口に配置され、入力インタフェース端子が第１の差込口に差し込まれたときの第１の差込口から導電パターンへの浸水を防止するシーリング部材と、を有することを特徴とする。
【０００７】
好適には、第１の接点が挟み込み接点形状を有する。
【０００８】
好適には、入力インタフェース端子は、一方の面に導電パターンが形成された可撓性フィルム及び可撓性フィルムの導電パターンが形成された側に設けられた防水性のプレートを有する。
【０００９】
好適には、プレートは、入力インタフェースコネクタに対する抜け防止用の突起を有する。
【００１０】
好適には、第１の差込口は、シーリング部材が嵌め込まれる角穴を有する。
【００１１】
好適には、コネクタハウジングの第１の差込口側に設けられるロック部材を更に有する。
【００１２】
好適には、コネクタハウジングは、ロック部材を嵌め込みために第１の差込口側に形成された段差を有する。
【００１３】
本発明による入力インタフェースコネクタは、携帯機器の本体のメイン基板に接続されたメイン基板コネクタに取り外し自在に接続するために入力インタフェースに設けられる入力インタフェースコネクタであって、入力インタフェースコネクタは、入力インタフェースが有する入力インタフェース端子に設けられた所定の導電パターンに接触するための第１の接点及びメイン基板コネクタに接触するための第２の接点を有する複数のコネクタ端子と、入力インタフェース端子が差し込まれる第１の差込口及び複数のコネクタ端子が差し込まれる第２の差込口を有し、複数のコネクタ端子を密閉して固定するコネクタハウジングと、第１の差込口に配置され、入力インタフェース端子が第１の差込口に差し込まれたときの第１の差込口から導電パターンへの浸水を防止するシーリング部材と、を有することを特徴とする。
【発明の効果】
【００１４】
本発明によれば、入力インタフェースが、入力インタフェースコネクタによって、携帯機器の本体のメイン基板に接続されたメイン基板コネクタに取り外し自在に接続するので、入力インタフェースは、携帯機器の本体からの取外しが自在となる。また、入力インタフェースが入力インタフェースコネクタのコネクタハウジングの第１の差込口に差し込まれたときに、シーリング部材が、第１の差込口から入力インタフェース端子の導電パターンへの浸水を防止するので、入力インタフェースを携帯機器の本体から取り外した状態でも浸水による悪影響が及ぼされにくくなる。
【図面の簡単な説明】
【００１５】
【図１】本発明による入力インタフェースの第１の実施の形態の斜視図である。
【図２】入力インタフェース端子が差し込まれた入力インタフェースコネクタの斜視図である。
【図３】図１のキーボードの一部の分解斜視図である。
【図４】図２に示すコネクタ端子のＩ−Ｉ矢視方向から見た断面図である。
【図５】図２に示すコネクタハウジングのＩ−Ｉ矢視方向から見た断面図である。
【図６】図２に示す入力インタフェース端子が差し込まれた入力インタフェースコネクタのＩ−Ｉ矢視方向から見た断面図である。
【図７】本発明による入力インタフェースの第２の実施の形態の斜視図である。
【図８】入力インタフェースが差し込まれた入力インタフェースコネクタの斜視図である。
【図９】図８のキーボードの一部の分解斜視図である。
【図１０】コネクタハウジングの断面図である。
【図１１】入力インタフェース端子が差し込まれた入力インタフェースコネクタの断面図である。
【発明を実施するための形態】
【００１６】
本発明による入力インタフェース及び入力インタフェースコネクタの実施の形態を、図面を参照しながら説明する。なお、図面中、同一構成要素には同一符号を付す。
図１は、本発明による入力インタフェースの第１の実施の形態の斜視図である。入力インタフェースとしてのキーボード１は、携帯機器としてのノート型パーソナルコンピュータの本体（図示せず）に設置され、入力部２と、入力インタフェースコネクタ３と、入力インタフェース端子４と、を備える。
【００１７】
入力部２は、複数のキー５と、複数のキー５を支持する板金（図示せず）と、複数のキー５と板金との間に配置されるメンブレンシートやフレキシブルプリント基板（ＦＰＣ）から構成されたキーボード基板（図示せず）と、を有する。入力部２は、防水性であり、例えばメンブレンシートで被覆されている。
【００１８】
入力インタフェースコネクタ３は、携帯機器の本体のメイン基板に接続されたメイン基板コネクタ６に取り外し自在に接続する。このために、入力インタフェースコネクタ３は、メイン基板コネクタ６の凹部７に対応する凸部８を有する。
【００１９】
入力インタフェース端子４は、キーボード基板（図示せず）に接続された所定の導電パターン（図示せず）が印刷等によって設けられ、入力インタフェースコネクタ３が差し込まれる。
【００２０】
図２は、入力インタフェース端子が差し込まれた入力インタフェースコネクタの斜視図であり、図３は、図１のキーボードの一部の分解斜視図である。なお、図２及び図３は、図１の領域Ａに対応する。入力インタフェースコネクタ３は、導体によって形成された複数のコネクタ端子９と、樹脂等によって形成され、防水加工が施されたコネクタハウジング１０と、エラストマー（ゴム材）等によって構成されたシーリング部材１１と、を有する。
【００２１】
図４は、図２に示すコネクタ端子のＩ−Ｉ矢視方向から見た断面図である。図４に示すように、コネクタ端子９は、入力インタフェース端子に設けられた導電パターンに接触するための接点１２と、及び前記メイン基板コネクタに接触するための接点１３ａ，１３ｂと、を有する。本実施の形態において、接点１２は、挟み込み接点形状を有し、接点１３ａ，１３ｂは、防水加工が施されている。
【００２２】
図５は、図２に示すコネクタハウジングのＩ−Ｉ矢視方向から見た断面図である。図５に示すように、コネクタハウジング１０は、入力インタフェース端子４が差し込まれる入力インタフェース端子差込口１４と、コネクタ端子９がそれぞれ差し込まれる複数のコネクタ端子差込口１５と、シーリング部材１１が嵌め込まれる角穴１６と、を有し、コネクタ端子９を樹脂等により密閉して固定する。したがって、入力インタフェース端子４が入力インタフェース端子差込口１４に差し込まれると、シーリング部材１１が角穴１６に押し付けられることによってシーリング部材１１と入力インタフェース端子４との間の機密性が保持され、入力インタフェース端子差込口１４から入力インタフェース端子４に設けられた導電パターンへの浸水を防止する。
【００２３】
図６は、図２に示す入力インタフェース端子が差し込まれた入力インタフェースコネクタのＩ−Ｉ矢視方向から見た断面図である。図６に示すように、入力インタフェース端子４は、ポリエチレンテレフタレート（ＰＥＴ）フィルムやＦＤＣのような可撓性フィルム１７によって構成され、一方の面に導電パターンが形成された可撓性フィルム１７と、可撓性フィルム１７の導電パターンが形成された側に設けられた防水性のプレート１８と、を有する。プレート１８は、例えば、可撓性フィルム１７に貼り付けられ又はカシメや熱カシメによって固定された板金又はプラスチック板によって構成される。なお、シーリング部材１１によって機密性が保持されない入力インタフェース端子４の導電パターンの全てを被覆するようにプレート１８を設けることによって、導電パターンへの浸水を防止する効果が一層向上する。また、キーボード２が入力インタフェース端子４を固定する部分では、入力インタフェース端子４側からキーボード２の内部への浸水を防止する防水機能を有する。
【００２４】
本実施の形態では、プレート１９は、入力インタフェースコネクタ３に対する抜け防止用の突起１９を有し、コネクタハウジング１０は、突起１９を挿入する突起挿入部２０を有する。このように突起１９及びこれに対応する突起挿入部２０を有することによって、エンドユーザによって行われるキーボード１の取外しは、入力インタフェースコネクタ３とメイン基板コネクタ６との間の取外しとなり、入力インタフェースコネクタ３と入力インタフェース端子４との間の接続が外れることを防止することができる。
【００２５】
本実施の形態によれば、キーボード１が、入力インタフェースコネクタ３によって、ノート型パーソナルコンピュータの本体のメイン基板に設けられたメイン基板コネクタ６に取り外し自在に接続するので、キーボード１は、ノート型パーソナルコンピュータの本体からの取外しが自在となる。また、キーボード１が入力インタフェース端子差込口１４に差し込まれたときに、シーリング部材１１が、入力インタフェース端子差込口１４から入力インタフェース端子４の導電パターンへの浸水を防止するので、キーボードをノート型パーソナルコンピュータの本体から取り外した状態でも浸水による悪影響が及ぼされにくくなる。
【００２６】
図７は、本発明による入力インタフェースの第２の実施の形態の斜視図である。入力インタフェースとしてのキーボード２１は、携帯機器としてのノート型パーソナルコンピュータの本体（図示せず）に設置され、入力部２と、入力インタフェースコネクタ２２と、入力インタフェース端子４と、を備える。
【００２７】
入力部２及び入力インタフェース端子４は、図１の入力部２及び入力インタフェース４と同一構成を有するので、その説明を省略する。
【００２８】
入力インタフェースコネクタ２２は、携帯機器の本体のメイン基板に接続されたメイン基板コネクタ２３に取り外し自在に接続する。このために、入力インタフェースコネクタ２２は、メイン基板コネクタ２３の凹部２４に対応する凸部２５を有する。
【００２９】
図８は、入力インタフェース端子が差し込まれた入力インタフェースコネクタの斜視図であり、図９は、図７のキーボードの一部の分解斜視図である。なお、図８及び図９は、図７の領域Ｂに対応する。入力インタフェースコネクタ２２は、導体によって形成された複数のコネクタ端子９と、樹脂等によって形成された防水性のコネクタハウジング２６と、エラストマー（ゴム材）等によって構成されたシーリング部材１１と、ロック部材２７と、を有する。
【００３０】
コネクタ端子９及びシーリング部材１１は、図３のコネクタ端子９及びシーリング部材１１と同一構成を有するので、その説明を省略する。
【００３１】
図１０は、図８に示すコネクタハウジングのII−II矢視方向から見た断面図であり、図１１は、図８に示す入力インタフェース端子が差し込まれた入力インタフェースコネクタのII−II矢視方向から見た断面図である。図１０及び図１１に示すように、コネクタハウジング２６は、入力インタフェース端子４が差し込まれる入力インタフェース端子差込口２８と、コネクタ端子９がそれぞれ差し込まれる複数のコネクタ端子差込口２９と、シーリング部材１１が嵌め込まれる角穴３０と、を有する。
【００３２】
本実施の形態によれば、ロック部材２７が入力インタフェース端子差込口２８側に設けられ、コネクタハウジング２６は、図９に示すように、ロック部材２７を嵌め込むために入力インタフェース端子差込口２８側に形成された段差３１を有する。このようにロック部材２７が段差３１と固着することによって、シーリング部材１１と入力インタフェース端子４との間の機密性が更に高まる。
【００３３】
本発明は、上記実施の形態に限定されるものではなく、幾多の変更及び変形が可能である。例えば、上記実施の形態において、入力インタフェースが設置される携帯機器がノート型パーソナルコンピュータである場合について説明したが、ＰＤＡ等の他の携帯機器にも本発明を適用することができる。また、上記実施の形態において、入力インタフェースがキーボードである場合について説明したが、テンキー等の他の入力インタフェースにも本発明を適用することができる。
【符号の説明】
【００３４】
１，２１    キーボード
２    入力部
３，２２    入力インタフェースコネクタ
４    入力インタフェース端子
５    キー
６，２３    メイン基板コネクタ
７，２４    凹部
８，２５    凸部
９    コネクタ端子
１０，２６    コネクタハウジング
１１    シーリング部材
１２，１３ａ，１３ｂ    接点
１４，２８    入力インタフェース端子差込口
１５，２９    コネクタ端子差込口
１６，３０    角穴
１７    可撓性フィルム
１８    プレート
１９    突起
２０    突起挿入部
２７    ロック部材
３１    段差
【図１】
2012220995.tif 000003
【図２】
2012220995.tif 000004
【図３】
2012220995.tif 000005
【図４】
2012220995.tif 000006
【図５】
2012220995.tif 000007
【図６】
2012220995.tif 000008
【図７】
2012220995.tif 000009
【図８】
2012220995.tif 000010
【図９】
2012220995.tif 000011
【図１０】
2012220995.tif 000012
【図１１】
2012220995.tif 000013